(57)【特許請求の範囲】
【請求項１】
コアストランドと、このコアストランドの周囲で撚られた少なくとも５本の外側ストランドとを含んでなるベアロープ直径Ｄを有するエレベータロープにおいて、前記コアストランドおよび前記外側ストランドが複数の鋼ワイヤを含んでなり、前記エレベータロープがエラストマーを含むジャケットをさらに含んでなり、このジャケットが前記外側ストランドを包み、かつそれらの間に染み込んでおり、
前記エレベータロープは、ベアロープの状態でプライマーによりコーティングされており、このプライマーが、有機官能性シラン、有機官能性チタナート又は有機官能性ジルコナートから選ばれるものであり、
前記ジャケットが、少なくとも前記外側ストランドに１５×Ｄ＋３０以上の抜去力（単位：Ｎ／ｍｍ。なお、Ｄの単位はｍｍ）によって付着しているとともに、
前記コアストランド周囲の前記外側ストランドの撚り長さが、Ｄの６．５倍より長いことを特徴とするエレベータロープ。
【請求項２】
前記コアストランド周囲の前記外側ストランドの撚り長さが、Ｄの１２倍未満である請求項１に記載のエレベータロープ。
【請求項３】
前記コアストランド周囲の前記外側ストランドの撚り長さが、Ｄの７〜１０倍である請求項１に記載のエレベータロープ。
【請求項４】
前記外側ストランドが、少なくとも２６５０Ｎ／ｍｍ２の引張強度のフィラメントを含んでなる請求項１〜３のいずれか一項に記載のエレベータロープ。
【請求項５】
前記コアストランドが、多くとも２６５０Ｎ／ｍｍ２の引張強度のフィラメントを含んでなる請求項４に記載のエレベータロープ。
【請求項６】
前記コアストランドが、多くとも２５００Ｎ／ｍｍ２の引張強度のフィラメントを含んでなる請求項４に記載のエレベータロープ。
【請求項７】
前記ロープが、前記外側ストランド間に少なくとも１５％のエラストマー充填度を有する請求項１〜６のいずれか一項に記載のエレベータロープ。
【請求項８】
前記ロープが、前記外側ストランド間に少なくとも３０％のエラストマー充填度を有する、請求項１〜６のいずれか一項に記載のエレベータロープ。
【請求項９】
前記エラストマーが熱可塑性エラストマーである請求項１〜８のいずれか一項に記載のエレベータロープ。
【請求項１０】
前記エラストマーがポリウレタンである請求項１〜８のいずれか一項に記載のエレベータロープ。
【請求項１１】
前記エラストマーがゴムである請求項１〜８のいずれかに記載のエレベータロープ。
【請求項１２】
ベアロープ直径Ｄを有するエレベータロープを製造する方法であって、前記方法が、
（Ａ）Ｄの６．５倍を超える撚り長さで、コアストランドの周囲に外側ストランドを組み合わせるステップと、
（Ｂ）１５×Ｄ＋３０以上の抜去力（単位：Ｎ／ｍｍ。なお、Ｄの単位はｍｍ）を得るために、ロープに、有機官能性シラン、有機官能性チタナート又は有機官能性ジルコナートから選ばれるプライマーをコーティングするステップと、
（Ｃ）ロープの周囲に外部ジャケットを施すステップと
を含む方法。
【請求項１３】
前記外側ストランドが９５〜１００％の予備成形比を有する請求項１２に記載の方法。
【請求項１４】
予備成形比が９６〜９８％である請求項１２に記載の方法。
【請求項１５】
エラストマーが押出しによって施される請求項１２〜１４のいずれか一項に記載の方法。
【発明の詳細な説明】
【技術分野】
【０００１】
本発明は、コアストランド、外側ストランドおよび少なくとも外側ストランドに付着しているエラストマージャケットを含むエレベータロープに関するものである。
【背景技術】
【０００２】
２つの主な要求事項、すなわち安全性および耐用年数がエレベータロープに提起されている。エレベータロープへの要求事項は、欧州規格ＥＮ８１−１：１９９８＋ＡＣ：１９９９に記載されており、より関連性の高い部分は９．１、９．２および９．３、ならびに付録ＭおよびＮである。
【０００３】
安全性は、検査（目視および規定時間の間隔）と、余剰性（少なくとも２本以上のロープでカートを運ぶ）と、所定の数値（例えば３本のロープが使用されるときは１２）を超えなければはなない安全係数（以下ＳＦと呼ぶ。すなわちカートおよび積荷の最大荷重に対するロープの破壊荷重の比）とによって確保される。
【０００４】
耐用年数は、滑車およびロープの設計によって最大化される。
【０００５】
第一に、滑車上における金属と金属との間の接触の重要性がある。
・硬質でより高い張力のワイヤは滑車およびロープの過度の摩耗につながるため、より低い張力のワイヤのみ使用できる。
・比較的太いロープの要求事項につながる、滑車に対するワイヤの圧力は、十分に低くなければならない。
【０００６】
第二に、ロープの設計がある。
・ケーブルストランドの短い撚り長さは、耐用年数の延長を生じさせる。
・ワイヤ間のライン接触を生じさせる平行撚りが使用され、そのようなライン接触は、ワイヤ間の切断をより少なくするため、より長い耐用年数を生じる。
・ロープ直径の４０倍の最小滑車直径は、ワイヤにて低い曲げ応力を生じるため、再度、ロープの耐用年数を改善する。
・テキスタイルコアを潤滑剤に含浸することは、耐用年数を延長する。
【０００７】
これらの要求事項は、当分野で既知であるようなエレベータロープ、すなわち１２００〜２０５０Ｎ／ｍｍ2の引張強度を有するベアまたはメッキ鋼ワイヤから作成した、通例８本のストランドによって包囲された潤滑処理テキスタイル材料（例えばサイザル）のコアを備えたワイヤロープをもたらしている。
【０００８】
ストランド自体は通例、１９〜３６本のワイヤを含有し、例えばＷａｒｒｉｎｇｔｏｎ、Ｓｅａｌｅ、フィラーなどの平行撚り型であるか、または例えばＷａｒｒｉｎｇｔｏｎ−Ｓｅａｌｅなどの組合せ型である。ロープにおけるストランドの撚り長さは通例、ロープの直径の５〜６倍である。ロープのサイズは、エレベータカートおよびその積荷の総重量の関数にて選択される。直径範囲は６〜２２ｍｍであるが、８〜１１ｍｍのサイズが最も一般的である。国際規格ＩＳＯ４３４４は一般にこれらのロープについて述べている。
【０００９】
従来技術のロープは、１００年以上にわたって要求事項を満足してきたが、それらは固有の欠点を有する。第一に比較的太いロープの要求事項は、牽引滑車へのロープ圧力を低下させるために、牽引および転換滑車直径がロープの直径の少なくとも４０倍でなければならないという要求事項と組み合わされて、より大型の滑車および結果としてより大きな装置スペース要求事項を引き起こす。第二に、ロープの直径に対して比較的小さいケーブル撚りは、低い弾性率または高い弾性伸長を引き起こし、床レベルに対するカートの荷重依存性位置につながる。第三に、テキスタイルコアは、ロープ使用の初期段階にて確実にロープ長の定期的な調整を必要とするクリープにつながる。第四の欠点は、潤滑コアが、手動で、または自動潤滑剤アプーリーケータによって行える再潤滑を定期的に必要とすることである。どちらの場合でも、システムのコストは上昇する。または再潤滑は、ドライブプーリーへのロープの牽引をかなり変化させることが可能であり、滑車とロープとの間の制御されない摩擦係数をもたらす。
【００１０】
これらの問題を克服する最近の解決策は、欧州特許出願公開第１２１３２５０号明細書に提案されている。この出願において、小型サイズの高張力ワイヤおよびロープの内側または外側のどちらかのエラストマー性コーティングを有するエレベータロープを使用するエレベータが特許請求されている。この機構は確かに、比較的大型の滑車および結果として大きな装置スペース要求事項の第一の欠点を除去するであろうが、ロープの可塑性伸長に関する第二の欠点およびクリープ現象に関する第三の欠点には対処していない。加えて、それは完全に異なる材料より成るため、ロープの完全性を維持する方法に関する問題に対処していない。それゆえ新しい、すなわち第五の欠点を示す現在使用されているロープに対してロープの耐用年数を維持または改善する方法についての指摘はない。
【発明の開示】
【発明が解決しようとする課題】
【００１１】
本発明の目的は、従来技術の欠点を除去することである。また本発明の目的は、高い弾性率および低いクリープを有するロープを提供することである。本発明のさらなる目的は、ロープの定期的な再潤滑の必要を除去することである。本発明のなおさらなる目的は、ロープの耐用年数を延長することである。本発明の別の目的は、エレベータロープを作成する方法である。
【課題を解決するための手段】
【００１２】
本発明に係るエレベータロープは、コアストランドと、コアストランドの周囲で撚られた少なくとも５本の外側ストランドとを含む。これらのストランドは、少なくとも１回の撚りおよび／または結束操作によって、最初に撚り合わされた複数の鋼ワイヤを含む。ストランドは、締めステップでロープとして集められる。このように集められたロープは、ベア（すなわちコーティングされていない）ロープ直径Ｄを有する。「ベアロープ直径Ｄ」は、ベアロープの横断面を囲む最小の虚円の直径として定義できる。外側ストランドに利用される撚り長さは、少なくともＤの６．５倍である。撚り長さは好ましくはＤの１２倍未満である。そして最も好ましくはＤの７〜１０倍である。このベアロープは、ゴムまたはポリウレタンでよいエラストマージャケットをさらに具備する。エラストマーは、Ｎ／ｍｍで表される１５×Ｄ＋１５以上の抜去力（pull-out force）によってベアロープに付着し、Ｄはｍｍで表される。１５×Ｄ＋３０Ｎ／ｍｍを超える値がさらに好ましい。
【００１３】
本発明に係るエレベータロープは、鋼コアストランドおよびより長い撚り長さの仕様により、従来技術のロープよりも高い弾性率を有する。このようにして、従来技術のロープの第二の欠点が解決される。鋼コアストランドは、第四の欠点を除去するため、再潤滑の必要もない。
【００１４】
当分野で予測されることに対して驚くべきことに、本発明に係るエレベータロープ−より長い撚り長さを備えた−は、疲労試験で著しく良好な耐性を示した。そして疲労試験は、エレベータロープの技術分野において耐用年数の良好な指標として一般に受け入れられているため、それゆえ本発明は第五の欠点の解決策を提供する。この驚くべき効果は、ロープが被覆され、エラストマーがロープの少なくとも外側ストランドに十分に付着し、それゆえ複合構造が形成されたときのみに得られた。滑車によって加えられた全ての吊上げ力は、ジャケットとベアロープとの間に発生する剪断力によってベアロープに伝達されるため、付着は重要である。付着力の欠如はベアロープからのジャケットの分離に直ちにつながり、ジャケットがベアロープによって切断され、ベアロープがジャケットによってもはや構造的に保持されないため、ジャケットおよびベアロープの早期故障を引き起こす。驚くべき効果を得るためには、１５×Ｄ＋１５Ｎ／ｍｍの最低レベルの抜去力が十分であることが見出された。
【００１５】
従来技術のロープにおいて、牽引力の減少は、過剰な潤滑によって起こるが、本発明のコードではこのことはもはや問題ではない。ポリマージャケットは、滑車とロープとの間に非常に良好な牽引力を確保する。一部の安全機能（例えばＥＮ８１．１、９．３節（ｃ））は、カートがその進路の末端にあるときに、一方の側でのロープのゆるみを、そして停止しない駆動滑車のもう一方の側でのロープ過負荷を防止するために、制御スリップを必要とする。このことは、ポリマー組成物の選択および／または調整のどちらかによって、あるいは例えば摩擦低下層による、滑車のコーティングの調整によって、好都合に実施できる。
【００１６】
本発明に係るエレベータロープはテキスタイルコアを持たないので、テキスタイルコアを使用した際にテキスタイルコアがゆっくりと絞られて、ロープ直径が小さくなり、それゆえ外側ストランドが伸長することに起因するクリープは、鋼コアストランドが非圧縮性であることから除去される。このようにして第三の欠点は除去される。
【００１７】
ここで本発明をさらに詳細に説明する。
【００１８】
本発明の鋼ワイヤに使用する鋼鉄は、好ましくは普通炭素鋼組成を有する。そのような鋼鉄は一般に、最低炭素含有率が０．４０重量％のＣ、または少なくとも０．７０重量％のＣ、しかし最も好ましくは少なくとも０．８０重量％のＣ、最高で１．１重量％のＣを含み、マンガン含有率の範囲が０．１０〜０．９０重量％のＭｎを含み、硫黄およびリン含有率はそれぞれ好ましくは０．０３重量％以下に維持されている。網羅的な列挙ではないが、クロム（最大０．２〜０．４重量％）、ボロン、コバルト、ニッケル、バナジウムなどのさらなる微量合金元素も添加できる。
【００１９】
使用した鋼ワイヤは、コーティングなしでもよい。あるいはワイヤは、６２．５〜７５重量％のＣｕと残部が亜鉛である組成を有する真鍮によって電解コーティングできる。全コーティング質量は、０〜１０ｇ／ｋｇである。あるいはワイヤは亜鉛によってコーティング可能であり、コーティング質量は、ワイヤ１ｋｇにつき亜鉛０〜１００ｇである。亜鉛は、電解工程によって、または熱浸漬工程によってワイヤに施すことが可能であり、亜鉛の総重量を減少させるための拭取り操作を続けても、続けなくてもよい。亜鉛の腐食保護および熱浸漬操作中に形成される鉄亜鉛合金層の存在のために、後者のコーティングタイプが好ましい。三元コーティングまたはプラズマプロセスによって施されるコーティングなどの他のコーティングタイプは、同様に本発明に良好に含まれる。コーティングタイプの列挙が網羅的でないことは、明らかなはずである。コーティングタイプがストランド間で異なりうることも明らかにしよう。
【００２０】
外側ストランドに形成される鋼ワイヤは、２６５０Ｎ／ｍｍ2を超える、またはさらに好ましくは３０００Ｎ／ｍｍ2以上の、なおさらに好ましくは４０００Ｎ／ｍｍ2以上の引張強度を有し、後者は当分野で現在達成可能な最も高い最低引張強度である。引張強度が高くなると、同じ破壊荷重に対してワイヤがより細くなり、ストランドがより細くなり、エレベータロープがより細くなり、滑車がより小型になることが可能なため、駆動装置のスペース要求事項が削減される。このようにして、従来技術の第一の欠点が除去される。
【００２１】
より長い撚り長さによってストランドが牽引力の方向により良く揃えられるため、ストランドの強度をさらにうまく利用できることも、本発明の好都合な副次的な影響である。そこでエレベータロープの同じ破壊荷重レベルを達成するために、外側ストランドの破壊荷重は、より長いロープ撚り長さを使用するときに低減することが可能であるため、外側ストランド、それゆえロープ全体をより細く作成することができ、再び従来技術の第一の欠点を是正する。
【００２２】
高い張力のワイヤを使用することにより縮小した金属表面Ａmetalのために、ロープ長Ｌに対する最小荷重と最大荷重との間の伸長の増加ΔＬを予測できる。実際に、ロープの弾性率Ｅは、ワイヤの引張強度の上昇とともに変化しないが、金属表面積は縮小し、このことは既知の式によって、より大きい伸長ΔＬをもたらす。
【００２３】
【数１】
0004485514.tif 000002
【００２４】
式中、ΔＦは最小荷重と最大荷重との差を表す。より長い撚り長さがより高いＥ−弾性率を生じるため、このことを補償することは、再び、本発明の好都合な副次的な影響である。
【００２５】
外側ストランドは好ましくは、ロープの撚り方向と反対の撚り方向を有する。
【００２６】
中央ストランドの鋼ワイヤの張力レベルは範囲を定められていないが、それらが２６５０Ｎ／ｍｍ2より低い引張強度を有することがさらに好ましい。それらが２４００Ｎ／ｍｍ2より低い引張強度を有することがなおさらに好ましく、それらが２１００Ｎ／ｍｍ2以下の引張強度を有することがなおさらに好ましい。コアのより低い引張強度は、ロープのより低い破壊荷重につながるが、それは疲労耐性を改善するという利点を有する。
【００２７】
６本以上のワイヤを含む異なるタイプの外側ストランドを作成できる。それらが７本のワイヤを含有することがさらに好ましく、なおさらに好ましくは１９本以上のワイヤである。それらは当分野で既知のどの配列によっても、例えばクロス撚りによって、Ｗａｒｒｉｎｇｔｏｎ平行撚りによって、Ｓｅａｌｅ平行撚り、または平行撚りのどの組合せによっても結集できる。平行撚りは、上のクロス撚りが好ましい。これらの構成を実現するために、異なるワイヤ直径を使用する必要があることは、当業者に明らかとなるであろう。
【００２８】
ロープは少なくとも５本の外側ストランドを含有する必要があり、さらに好ましくは６本の外側ストランドであり、最も好ましくは８本の外側ストランドであるが、９本の外側ストランドも可能である。
【００２９】
コアストランドは好ましくは、しかし必ずではないが、外側ストランドと同じ配置である。コアストランドの直径、それゆえコアストランド内のワイヤの直径は、少なくとも外側ストランドが相互に接触しないような方法で選択される。外側ストランド間のギャップが少なくともＤの０．０１０倍であることがさらに好ましく、ギャップがＤの０．０２０倍であることがなおさらに好ましく、ギャップがＤの０．０２５倍より大であることがなおさらに好ましい。ギャップはストランドに垂直の方向であると見なされる。より長い撚り長さと共にギャップが増加することに注意する。本発明に係るより大きい撚り長さはそれゆえ、ギャップを増加させるために好都合である。
【００３０】
ギャップは、ストランド間のエラストマー流を可能にするために必要である。このようにして、ストランド間の空隙は、ある「充填度」まで充填できる。「充填度」は、以下のように定義できる。
【００３１】
ロープに対して垂直なベアロープの断面積を使用すると、外部外接円（直径Ｄ）内のある面積は、鋼鉄によって占有されず、空隙となるであろう。これを面積「Ａvoid」と呼ぶ。
【００３２】
ロープに対して垂直なコーティングロープの断面積を使用する場合、外接円内の空隙のある面積はここで、エラストマーによって占有されるであろう。我々は面積を「Ａelastomer」と呼ぶ。
【００３３】
充填度はここで好都合に、Ａelastomer対Ａvoidの比としてパーセントで表すことができる。本発明により、１５％の充填度が必要であるが、３０％を超える充填度がさらに望ましい。副次的効果として、良好な充填度も外側ストランドをエレベータロープ内に固定するのに寄与し、それゆえ従来技術の第二の欠点を是正するのに有用である、エレベータロープの弾性率を向上させる。
【００３４】
ジャケットに使用したエラストマーは、十分な付着力でロープに好都合に施すことができるどのエラストマー材料も含む。エラストマーとして、ゴムを使用できる。エレベータロープが使用される特定の環境が、化合物の選択を規定する。ゴム化合物は、耐火性を有するポリクロロプレンゴムが適切である。エレベータロープが低温環境または油のある環境で使用される場合に、ゴム化合物はニトリルゴムでもよく、あるいは十分な脆弱化耐性および低摩擦のためには、ＥＰＤＭゴム、すなわちエチレン−プロピレンジエン修飾ターポリマーでもよい。
【００３５】
さらに好ましくは熱可塑性エラストマー（ＴＰＥ）を使用できる。制限されない例は、ポリスチレン／エラストマーブロックコポリマー、ポリウレタン（ＰＵ）またはポリウレタンコポリマー、ポリアミド／エラストマーコポリマー、熱可塑性加硫物である。好ましくは熱可塑性ポリウレタンが使用される。エステル、エーテルまたはカーボネートポリウレタンのホモポリマーも、ポリマーブレンドのコポリマーと同様に使用される。好ましくは、ポリマー材料は、３０Ａ〜９０Ｄで変化するショア硬度を有する。透明熱可塑性エラストマーを使用することも好ましい。このことはなお、金属製ロープの考えられるロープ破損についての目視検査も可能にする。
【００３６】
ジャケットの厚さは制限されない。ジャケットの表面の点と最も近い金属点とのケーブル方向に垂直な平面における最短距離は、ある点におけるジャケットの厚さとして理解される。好ましくはジャケットの各外部点においては、それは０．０〜２．０ｍｍである。コーティングは、ベアケーブル外形に従うことができるか、またはやや丸い形状を有することができる。ジャケットの全体的な外形は、本発明では重要でなく、すなわち、ジャケットの外周が円に近い必要はない。
【００３７】
ここでエレベータロープを作成する方法を以下で詳細に述べる。
【００３８】
ワイヤおよびストランドの作成は、湿式伸線とそれに続く撚り合せまたは結束の既知の従来技術に従って作成する。
【００３９】
ロープのクロージングの間に、１０２％以下の予備成形比を有するために特別な注意が必要である。９５〜１００％の予備成形比を有することがさらに好ましい。９６〜９８％の予備成形比がさらに好ましい。周囲ストランドの予備成形比は、以下のように測定できる。結集ロープの規定長（例えば５００ｍｍ）を取り、正確に測定する。次に、ストランドを塑性変形させずに、周囲ストランドをベアロープから解きほぐす。予備成形比（以下ＰＲと呼ぶ）は以下にして決定される。
予備成形比（％）＝（ベアエレベータロープ長／解きほぐしたストランド長）×１００
【００４０】
本発明の目的は、以下のステップ、特にジャケット処理がロープに施されるステップにおいて加工できるロープを得るために、ＰＲがこれらの範囲内になければならないことである。
【００４１】
場合により洗浄操作の後、ロープは次に、前記の目的のために、当分野で既知である有機官能性シラン、有機官能性チタナートおよび有機官能性ジルコナートより選択されるプライマーによってコーティングする。好ましくは、しかし排他的ではないが、有機官能性シランプライマーは、以下の式の化合物より選択される。
【００４２】
Ｙ−（ＣＨ2）n−ＳｉＸ3
式中、
Ｙは、−ＮＨ2、ＣＨ2＝ＣＨ−、ＣＨ2＝Ｃ（ＣＨ3）ＣＯＯ−、２，３−エポキシプロポキシ、ＨＳ−および、Ｃｌ−より選択される有機官能基を表し、
Ｘは、−ＯＲ、−ＯＣ（＝Ｏ）Ｒ’、−Ｃｌ（ここでＲおよびＲ’は、Ｃ1−Ｃ4アルキル、好ましくは−ＣＨ3、および−Ｃ2Ｈ5より独立して選択され）より選択されるケイ素官能基を表し、
ｎは、０と１０との間の整数、好ましくは０〜１０、そして最も好ましくは０〜３である。
【００４３】
上述の有機官能性シランは、市販の製品である。
【００４４】
プライマーは、浸漬または塗装あるいは当分野で既知の他の技法によってロープに塗布できる。好ましくは浸漬が使用され、乾燥操作が続く。
【００４５】
以下のステップは、ジャケット材料によるロープのコーティングである。これは、射出成形、粉末コーティング、押出し、または当分野で既知の他のどの手段によっても実施できる。好ましくは押出しが使用される。ここで予備成形比は、ロープの加工可能性において重大な役割を果たす。ＰＲが高すぎる場合、これは押出し中にロープの「スリービング」を引き起こす。ロープのスリービングは、外側ストランドのゆるみが、ぴったり合った開口部を通じたロープの移動によって蓄積されるときに発生する現象である。外側ストランドは、ほどける傾向があり、開口部の直前でのオープニングロープの形成につながる。このスリービングは、次のロープを使用不可にし、外側ストランドの破断または完全なロープさえの破断によるロープの中断も引き起こす、外側ストランドの交差をもたらす。
【００４６】
ここで、添付図面を参照して本発明をさらに詳細に説明する。
【発明を実施するための最良の形態】
【００４７】
図１に示す第一の好ましい実施形態において、通常のクロス撚りロープである以下のロープ式の７×１９のロープを作成した。
【００４８】
【数２】
0004485514.tif 000003
【００４９】
このベアロープの直径は４．９５ｍｍである。ロープの撚りＬＬは、３４〜４６ｍｍの範囲にわたって変化した。フィラメントは、以下の引張強度を有していた（表１）。
【００５０】
【表１】
0004485514.tif 000004
【００５１】
フィラメントは亜鉛コーティングされていた。
【００５２】
以下の結果（表２）は、ベアロープ上で得た。
【００５３】
【表２】
0004485514.tif 000005
【００５４】
この結果、当分野の現状において既知の傾向、すなわち撚りの増加を伴うより高い破壊荷重およびより高い弾性率を確認した。さらなる加工には、３４ｍｍ撚り長さのロープを選択した。それは９７．２％の予備成形比を有していた。ベア状態の破壊荷重は、２１．４ｋＮであった。
【００５５】
第一のロープは、蒸気脱脂ステップによって洗浄した。次にロープをイソプロパノールおよび水の混合物に溶解させたＮ−（２−アミノエチル）−３−アミノプロピルトリメトキシシラン１．５体積％を含有する浸漬タンク内に導入した。浸漬後、風乾した。
【００５６】
次のステップとして、ロープは押出しラインにて、Ｂａｙｅｒの透明ポリウレタンＤｅｓｍｏｐａｎ（登録商標）を用いてコーティングした。速度および圧力は、ＰＵ（図１中の１１４）のロープ中への最適充填度を得るために調整した。図１の断面より、エラストマー充填度は、ストランド間で２０〜３０％と概算できる。ジャケット処理後、ロープは２１．７ｋＮの破壊荷重を有する。
【００５７】
加工の各ステージの間、サンプルを取り、付着試験を実施した。付着試験形式を図２に示す。２本のロープ（２００および２０２）を内寸５０ｍｍ×５０ｍｍ×１２．５ｍｍの型２０６に配置する。型は２つの片２０８および２１０から組み立てられる。試験されるロープ２００は中心に配置されるが、これに対して、ループ状に導入された１本のロープ２０２は外部位置に充填する。いったんロープを配置すると、型の半分２０８および２１０を閉じて、ジャケットに使用したのと同じＰＵで充填する。２４時間の静止期間の後、型を開く。中央ロープ２００を張力試験機の上部クランプに留め、一方、下部クランプはロープループ２０２を保持する。中央ロープを約５０ｍｍ／分の速度で引出し、最大力を記録する。これが、１ｍｍ当たりの抜去力を得るために５０ｍｍ−ロープの埋め込み長−で割られる、抜去力である。試験結果（Ｎ／ｍｍ）を以下の表３に再現する。
【００５８】
【表３】
0004485514.tif 000006
【００５９】
サンプル＃１は、亜鉛コーティングのみを有するベアロープであった。サンプル＃２は、有機官能性シランの塗布後のロープであり、サンプル＃３はＰＵ外部ジャケットでコーティングしたロープであった。本発明により、抜去力は少なくとも９０Ｎ／ｍｍでなければならない。
【００６０】
次のロープに実際のエレベータでのロープの使用をシミュレートする疲労試験を受けさせた。試験を図３に示す。振動ドラム３０８によって駆動された試験中のロープ３０２は、試験プーリー３０６および３０７上で循環的に屈曲させる。ロープをさらに反転プーリー３０４に誘導して、そこで力３１０を印加する。以下の試験条件を適用する。
試験プーリー４０６および４０７の直径：２００ｍｍ（すなわち４０×Ｄ）。
試験中のロープ長：３５０ｍｍ。
印加した張力：１８００Ｎまたは１８２Ｎ／ｍｍ2。
振動周波数：１秒に１完全サイクル。
【００６１】
以下の結果を得た。
【００６２】
【表４】
0004485514.tif 000007
【００６３】
開始後、試験したコーティングロープは、２０．７ｋＮの破壊荷重または元の破壊荷重の９５％をなお示した。
【００６４】
第二の好ましい実施形態は、ストランドがＷａｒｒｉｎｇｔｏｎタイプ配置であるロープである。フィラメントは図４に示すように配列される。ロープ７×１９Ｗ４００は以下の式を有する。
【００６５】
【数３】
0004485514.tif 000008
【００６６】
直径は５．０ｍｍであり、外側ストランドについては８×Ｄの撚り長さを生じる。ワイヤは亜鉛コーティングされている。引張強度レベルは、以下の表５の通りである。
【００６７】
【表５】
0004485514.tif 000009
【００６８】
ロープは、３０ｋＮの公称破壊荷重を有する。ストランド間のギャップは１２３μｍであり、０．０２４×Ｄに相当する。再びコードを第一の実施形態の工程に従って処理する（洗浄、同じ有機官能性シランへの浸漬と、それに続く、Ｂａｙｅｒからの同じＤｅｓｍｏｐａｎ（登録商標）を用いた押出し）。この反復付着試験により以下の結果が得られた。
【００６９】
【表６】
0004485514.tif 000010
【００７０】
有機官能性シランを用いた処理は再び約５倍良好な付着抜去力を生じた。本発明の請求項１に従って、抜去力は９０Ｎ／ｍｍを超える必要があり、請求項２に従って、好ましくは１０５Ｎ／ｍｍを超える必要がある。
【００７１】
第一の実施形態と同様に、ロープに再び、実際のエレベータでのロープの使用をシミュレートする疲労試験を受けさせた。以下の試験条件を適用した。
試験プーリー４０６および４０７の直径：２００ｍｍ（すなわち４０×Ｄ）。
試験中のロープ長：３５０ｍｍ。
印加した張力：：２５００Ｎまたは２０３Ｎ／ｍｍ2。
振動周波数：１秒に１完全サイクル。
【００７２】
印加した軸方向応力は、第一の実施形態の試験よりも約１２％大きいことに注意する。
【００７３】
第二の実施形態によるサンプルは、疲労試験において破断なしで８〜１０6サイクル作動した。破壊荷重は、表７に示したように試験後にほとんど変わらなかった。
【００７４】
【表７】
0004485514.tif 000011
【図面の簡単な説明】
【００７５】
【図１】エレベータロープの第一の実施形態を示す断面図である。
【図２】付着試験用の試験体を示す図である。
【図３】行った疲労試験を示す図である。
【図４】エレベータロープの第二の実施形態を示す断面図である。
【図１】
0004485514.tif 000012
【図２】
0004485514.tif 000013
【図３】
0004485514.tif 000014
【図４】
0004485514.tif 000015